(57)【特許請求の範囲】
【請求項１】
ガイドレール（１）で案内される走行部（２）と、戸パネル（Ｐ）に装着される取付部（３）と、走行部（２）と取付部（３）を連結するランナー軸（４）とを備えている吊車型のランナーであって、
取付部（３）は、戸パネル（Ｐ）の内部で直交状に交差して互いに抜け止め係合する縦軸体（１１）と横軸体（１２）とからなり、
縦軸体（１１）の下端には、縦短軸（１４ａ）と横短軸（１４ｂ）とを有する逆Ｔ字状に形成したプラグ（１４）が一体に設けられており、
横軸体（１２）にプラグ（１４）を受け入れるソケット（１７）が設けられており、
ソケット（１７）が、横軸体（１２）の一側端から軸心に沿って形成されてプラグ（１４）の横短軸（１４ｂ）を受け入れる吊持穴（１８）と、横軸体（１２）の前記一側端から軸中途部にわたって吊持穴（１８）と連通する状態で設けられて、縦短軸（１４ａ）を受け入れる逃げ溝（１９）とで構成されており、
逃げ溝（１９）は、横軸体（１２）の軸心と平行な導入溝（１９ａ）と、導入溝（１９ａ）の奥端に連続して周方向へ延びる係合溝（１９ｂ）とでＬ字形に形成されており、
吊持穴（１８）を横短軸（１４ｂ）に差し込み係合して、縦短軸（１４ａ）を導入溝（１９ａ）に受け入れ、縦短軸（１４ａ）が導入溝（１９ａ）の奥端に接当した時点で横軸体（１２）の全体を回動操作することにより、係合溝（１９ｂ）が縦短軸（１４ａ）と係合し、
係合溝（１９ｂ）が縦短軸（１４ａ）に係合した状態において、横軸体（１２）がプラグ（１４）に抜け止め保持されているとともに、縦軸体（１１）がプラグ（１４）を介して横軸体（１２）に対して回転不能に保持されている吊車型のランナー。
【請求項２】
ランナー軸（４）の上部が、走行部（２）のボディ（６）に対して相対回転自在に連結されており、ランナー軸（４）と縦軸体（１１）との間に高さ調整用のねじ機構（５）が設けてある請求項１記載の吊車型のランナー。
【請求項３】
戸パネル（Ｐ）に組み付けた横軸体（１２）の外側端に操作部（１６）が設けられており、操作部（１６）に横軸体（１２）を回動操作するための操作溝（２０）が形成してある請求項１又は２記載の吊車型のランナー。
【発明の詳細な説明】
【０００１】
【発明の属する技術分野】
この発明は、折り戸や引き戸に適用される吊車型のランナーに関する。
【０００２】
【従来の技術】
この発明のランナーは、直交するプラグとソケットを連結要素にしてランナーを戸パネルに取り付けるが、この種のランナー取り付け構造は実公平６−１３３３５号公報に公知である。そこでは、図５に示すように縦軸体４０と横軸体４１とで取り付け部を構成し、縦軸体４０の下短に皿ビス頭部状のプラグ４２を設け、横軸体４１の側の側端寄りにプラグ４２を捕捉係合するためのソケット４３を設けている。ソケット４３はプラグ４２の大径頭部を受け入れる、軸心と直交する向きの縦穴４３ａと、縦穴４３ａに連続して周方向に形成した周溝４３ｂとで形成してある。
【０００３】
使用時には、横軸体４１を縦穴４３ａの開口が上向きになる状態で戸パネルに先組みし、縦軸体４０を戸パネルの上面側から差し込んで、そのプラグ４２をソケット４３内に挿嵌する。次に横軸体４１を回動操作し、縦穴４３ａの開口を下向きにしてプラグ４２を抜け止め保持する。
【０００４】
【発明が解決しようとする課題】
上記のランナー取り付け構造によれば、ランナーの戸パネルへの取り付けをワンタッチで簡単に行える。取り付け構造が簡単な分、ランナーの製作コストも少なくて済む。問題は、縦軸体４０が高さ調整用のねじを兼ねており、しかも取り付け状態においてプラグ４２がソケット４３に対して自由に回転できる構造になっているので、時間の経過と共に縦軸体４０が緩みやすい点にある。とくに、ランナーを折り戸パネルに適用する場合には、戸パネルの開閉時に縦軸体４０に捻じりモーメントが作用するので緩みを生じやすい。折り戸においては、縦軸体４０自体が戸パネルに対して相対回転することで、戸パネルとランナーの相対変位を吸収するので、縦軸体４０と戸パネルとの間で大きな摩擦抵抗を生じやすく、戸パネルをスムーズに開閉できないこともある。
【０００５】
この発明の目的は、プラグとソケットを連結要素とするランナー取り付け構造を備えていて、ランナーの戸パネルへの取り付けを簡単に行える吊車型のランナーを提供することにある。
この発明の他の目的は、高さ調整用のねじの緩みを防止でき、従って戸パネルの隙間を常に適正に維持できる吊車型のランナーを提供することにある。
この発明の他の目的は、引き戸に適用できるのはもちろん、折り戸にも支障なく適用できる吊車型のランナーを提供することにある。
【０００６】
【課題を解決するための手段】
この発明のランナーは、ガイドレール１で案内される走行部２と、戸パネルＰに装着される取付部３と、走行部２と取付部３を連結するランナー軸４とを備えている。取付部３は、戸パネルＰの内部で交差して互いに抜け止め係合する縦軸体１１および横軸体１２とからなる。縦軸体１１の下端には、縦横の短軸１４ａ・１４ｂからなるプラグ１４を設ける。横軸体１２にプラグ１４を受け入れるソケット１７を設ける。ソケット１７は、横軸体１２の一側端で開口されてプラグ１４の横短軸１４ｂを受け入れる吊持穴１８と、横軸体１２の前記一側端から軸中途部にわたって、吊持穴１８と連通する状態でＬ字形に設けられた逃げ溝１９とで構成する。プラグ１４をソケット１７で係合捕捉した状態において、プラグ１４の横短軸１４ｂを吊持穴１８で相対回転不能に保持する。
【０００７】
具体的には、ランナー軸４の上部を、走行部２のボディ６に対して相対回転自在に連結する。ランナー軸４と縦軸体１１との間に高さ調整用のねじ機構５を設ける。戸パネルＰに組み付けた横軸体１２の外側端に操作部１６を設け、この操作部１６に横軸体１２を回動操作するための操作溝２０を形成する。
【０００８】
【作用】
ランナーは、ランナー軸４を介して走行部２と一体化された縦軸体１１を戸パネルＰに先組みした後、横軸体１２を戸パネルＰに挿嵌し、さらに回動操作して、縦軸体１１に設けたプラグ１４を横軸体１２に設けたソケット１７で係合捕捉することにより、戸パネルＰに取り付ける。横軸体１２を挿嵌するとき、プラグ１４側の横短軸１４ｂは、ソケット１７の吊持穴１８に入り込んで抜け止め保持される。この後、横軸体１２を回動操作すると、逃げ溝１９の周方向の係合溝１９ｂが縦短軸１４ａと係合して、横軸体１２を抜け止め保持する。このようにプラグ１４をソケット１７で係合捕捉した状態では、横短軸１４ｂが吊持穴１８で相対回転不能に固定保持されるので、戸パネルＰの開閉時に縦軸体１１が戸パネルＰに対して回動し、高さ調整用のねじ機構５が緩むのを確実に防止できる。
【０００９】
ランナー軸４の上部を走行部２のボディ６に対して相対回転自在に連結したランナーによれば、戸パネルＰとランナーの相対変位を、ランナー軸４とボディ６とが相対回転することで吸収できるので、ランナーを折り戸に適用する場合にも、戸パネルＰの開閉を軽快に行える。
【００１０】
【実施例】
図１ないし図４にこの発明に係る吊車型のランナーの実施例を示す。図１において、ランナーは、ガイドレール１で案内される走行部２と、戸パネルＰに埋め込んだ状態で装着される取付部３と、走行部２と取付部３とを連結するランナー軸４と、ランナー軸４と取付部３との間に設けた高さ調整用のねじ機構５などで構成してある。
【００１１】
図２において走行部２は、プラスチック成形品である角形ブロック状のボディ６と、ボディ６の前後面に配置した４個のローラ７と、これらローラ７を軸支する軸８などで構成する。ボディ６の長手方向中央に上下貫通状の連結穴９を設け、この連結穴９にランナー軸４を下面側から挿通してかしめ処理することにより、ボディ６とランナー軸４とを相対回転自在に連結する。
【００１２】
取付部３は、直交状に交差して互いに抜け止め係合する縦軸体１１と横軸体１２とからなる。縦軸体１１は、上端にフランジ１３が張り出してある丸軸からなり、その下端にプラグ１４を一体に設ける。プラグ１４は、縦短軸１４ａと横短軸１４ｂとで逆Ｔ字状に形成する。より詳しくは、縦短軸１４ａは断面長方形状の角軸で形成し、横短軸１４ｂは丸軸で形成する。横短軸１４ｂの直径寸法は縦短軸１４ａの短辺部長さより大きく設定し、横短軸１４ｂの軸方向長さを縦短軸１４ａの長辺部長さより大きく、しかも縦軸体１１の軸部径と同じかこれより僅かに小さく設定する。
【００１３】
横軸体１２は、一端にフランジ状の操作部１６を張り出した丸軸からなり、その軸部に先のプラグ１４を受け入れて係合捕捉するソケット１７を設ける。ソケット１７は、軸部の側端から軸心に沿って形成されて、先の横短軸１４ｂを受け入れる吊持穴１８と、軸部の側端から軸中途部にわたって形成した逃げ溝１９とで構成する。
【００１４】
逃げ溝１９は軸心と平行な導入溝１９ａと、導入溝１９ａの奥端に連続して周方向へ延びる係合溝１９ｂとでＬ字形に形成する。導入溝１９ａの周方向の溝幅は、先の縦短軸１４ａの短辺部長さより僅かに大きく設定し、係合溝１９ｂの軸心方向の溝幅は、縦短軸１４ａの長辺部長さより大きく設定する。両溝１９ａ・１９ｂの溝中心線は、軸部における周方向の位相が９０°ずれている。操作部１６の外面には一文字状の操作溝２０を設ける。この操作溝２０は導入溝１９ａの位置を表示する指標を兼ねており、両者１９ａ・２０の位相位置は一致している。
【００１５】
ランナー軸４は、上下中央部に断面六角形の操作頭部２２を有する丸軸からなり、操作頭部２２より上方の軸部２３を、先に述べたようにボディ６に対して相対回転自在に連結する。操作頭部２２より下方の軸部には雄ねじ２４が形成してある。
【００１６】
ランナー軸４は縦軸体１１に対してねじ機構５を介して連結してあり、ランナー軸４の縦軸体１１へのねじ込み量を加減することにより、戸パネルＰの吊持高さを調整し、その戸枠に対する隙間を調整し変更できる。縦軸体１１には雄ねじ２４とかみ合うねじ穴２５が軸心に沿って形成してある。ねじ機構５はランナー軸４と縦軸体１１の間に設けた雄ねじ２４、およびねじ穴２５で構成される。
【００１７】
以上のように構成したランナーを組み付けるために、戸パネルＰに縦横に交差する取り付け穴を設ける。詳しくは、図１に示すように戸パネルＰの上端面から垂直下向きに、縦軸体１１を受け入れる縦セット穴２６を設け、戸パネルＰの裏面側から縦セット穴２６と交差する横セット穴２７を設ける。この横セット穴２７に横軸体１２が挿嵌される。
【００１８】
次にランナーの組み付け手順を図３および図４に従って説明する。ランナーは走行部２と縦軸体１１とをランナー軸４を介して連結し、戸パネルＰの枚数に対応した数の走行部２をガイドレール１に予め組んでおく。次に、起立保持した戸パネルＰの上面をガイドレール１に近接対向させて、その縦セット穴２６に縦軸体１１を差し込む。このとき、図４に示すようにプラグ１４の横短軸１４ｂが横セット穴２７の軸心と平行になるよう、縦軸体１１の位置を調整する。この後、操作溝２０が垂直になる状態で横軸体１２を横セット穴２７に挿嵌し、その吊持穴１８を横短軸１４ヘに差し込み係合する。同時に縦短軸１４ａを逃げ溝１９内に受け入れる。縦短軸１４ａが導入溝１９ａの奥端に接当した時点で、操作溝２０にドライバーを係合して横軸体１２の全体を回動操作し、係合溝１９ｂの周側壁を横短軸１４ｂの上面側へ回り込ませる。
【００１９】
上記の状態では、図１に示すように逆Ｔ字状のプラグ１４がソケット１７で完全に捕捉係合されており、従って縦軸体１１と横軸体１２とは互いに抜け止め保持し合う。また、縦横の両短軸１４ａ・１４ｂが、係合溝１９ｂと吊持穴１８によってそれぞれ相対回転不能に固定保持されるので、縦軸体１１が戸パネルＰに対して相対回転するのを確実に阻止できる。このことは、戸パネルＰの開閉時にねじ機構５が緩むのを防止できることを意味している。とくにランナーに対して捻じりモーメントが作用しやすい折り戸に適用した場合にも、ねじ機構５が緩むのを確実に阻止し、戸パネルＰの隙間を適正に維持できる。ランナーに作用する捻じりモーメントを、ランナー軸４とボディ６との間の相対回転動作によって吸収できるので、戸パネルＰの折りたたみ開閉時の引っ掛かりを防いで軽快なパネル開閉を行える。
【００２０】
上記の実施例では、縦軸体１１にねじ穴２５を形成したが、その必要はない。例えば縦軸体１１を軸中心を通る平面で前後に分割成形し、その内部にナット体を回転不能に係合保持して、これにランナー軸４をねじ込むことができる。プラグ１４の縦短軸１４ａは丸軸で形成できる。横短軸１４ｂは断面多角形状の角軸や断面半円状の軸体で形成できる。ソケット１７は横軸体１２の軸部の対向周面の２個所に形成することができる。横軸体１２用の横セット穴２７は戸パネルＰの表裏面および側端面のいずれの面壁に設けてあってもよい。走行部２は２個のローラ７を備えている形態や、縦横に回転する３個以上のローラ７を備えている形態であってもよい。
【００２１】
【発明の効果】
この発明では、横軸体１２のソケット１７を、軸心に沿う吊持穴１８と、軸端から軸中途部にわたって形成したＬ字形の逃げ溝１９とで構成し、縦軸体１１を戸パネルＰに先組みした後、横軸体１２を戸パネルＰに組み込んで、縦軸体１１に設けたプラグ１４をソケット１７で係合捕捉できるようにした。さらに、係合状態において、プラグ１４の横短軸１４ｂを吊持穴１８で相対回転不能に保持して、縦軸体１１が戸パネルＰに対して回動するのを確実に阻止した。従って、この発明のランナーによれば、折り戸や引き戸の開閉時に縦軸体１１が戸パネルＰに対して回動するのを防止でき、高さ調整用のねじ機構５の緩みや、縦軸体１１と戸パネルＰとの摩擦による引っ掛かりを一掃できる。引き戸と折り戸のいずれにでもランナーを適用できるので、量産効果を有効に発揮でき、取付部３の構造がシンプルで取付部３の製造に要するコストが少なくて済むことも加わって、全体としてランナーを低コストで製造できる。
【図面の簡単な説明】
【図１】ランナーの取り付け状態を示す側面図である。
【図２】ランナーの分解斜視図である。
【図３】ランナーの取り付け状態を示す図１におけるＡ−Ａ線断面図である。
【図４】取付部の組み立て途中状態を示す斜視図である。
【図５】従来のランナー取り付け構造を示す側面図である。
【符号の説明】
１  ガイドレール
２  走行部
３  取付部
４  ランナー軸
１１  縦軸体
１２  横軸体
１４  プラグ
１７  ソケット
１８  吊持穴
１９  逃げ溝
Ｐ  戸パネル
【図１】
0003738323.tif 000002
【図２】
0003738323.tif 000003
【図３】
0003738323.tif 000004
【図４】
0003738323.tif 000005
【図５】
0003738323.tif 000006